(57)【要約】【課題】  被接続物を強固に固定でき、被接続物の表面より突出する部分が少ない鋲及び鋲による固定構造を提供すること。【解決手段】  この発明にかかる鋲は、貫通孔に挿入される軸部１２と、前記軸部の一方端に突設されて軸部の周囲に形成された埋没部１４と、前記軸部とは反対側の前記埋没部の上に突設された接続部１６とを備え、前記埋没部１４は、被接続物に固定されたときに被接続物を変形させるとともに被接続物の内部に埋没するように、前記軸部１２の太さより長い幅と、被接続物の厚さよりも薄い厚さとを備え、軸部１２より接続部１６に至るに従ってその幅が、漸次長くなり、且つ前記接続部１６の幅よりも短い鍔状に形成され、前記接続部１６は、その突出部が、外周縁に至るに従って薄くなり、その外周縁が被接続物の表面と密着する薄い厚さとを備えた鍔状に形成されている。【選択図】図３
2009047287.tif 000002
【特許請求の範囲】
【請求項１】
被接続物に穿設された貫通孔に挿入し固定される鋲であって、
貫通孔に挿入される軸部と、
前記軸部の一方端に突設されて軸部の周囲に形成された埋没部と、
前記軸部とは反対側の前記埋没部の上に突設されて、軸部の周囲に形成され、その下方面と被接続物とを接し合わせ、前記軸部の埋没部が形成された一方端とは反対側の他方端と協働して被接続物に固定されるように形成された接続部とを備え、
前記軸部は、前記貫通孔の径と同等又はそれより短い太さと前記貫通孔よりも長い長さとを備え、
前記埋没部は、被接続物に固定されたときに被接続物を変形させるとともに被接続物の内部に埋没するように、前記軸部の太さより長い幅と、被接続物の厚さよりも薄い厚さとを備え、軸部より接続部に至るに従ってその幅が、漸次長くなり、且つ前記接続部の幅よりも短い鍔状に形成され、
前記接続部は、前記埋没部より外方に張り出す幅と、被接続物の表面より突出した接続部の突出部が、外周縁に至るに従って薄くなり、その外周縁が被接続物の表面と密着する薄い厚さとを備えた鍔状に形成された、鋲。
【請求項２】
被接続物に穿設された貫通孔に鋲を挿入して被接続物を固定する、鋲による固定構造であって、
鋲は、
貫通孔に挿入される軸部と、
前記軸部の一方端に突設されて軸部の周囲に形成された埋没部と、
前記軸部とは反対側の前記埋没部の上に突設されて、軸部の周囲に形成され、その下方面と被接続物とを接し合わせ、前記軸部の埋没部が形成された一方端とは反対側の他方端と協働して被接続物に固定されるように形成された接続部とを備え、
前記軸部は、前記貫通孔の径と同等又はそれより短い太さと前記貫通孔よりも長い長さとを備え、
前記埋没部は、被接続物に固定されたときに被接続物を変形させるとともに被接続物の内部に埋没するように、前記軸部の太さより長い幅と、被接続物の厚さよりも薄い厚さとを備え、軸部より接続部に至るに従ってその幅が、漸次長くなり、且つ前記接続部の幅よりも短い鍔状に形成され、
前記接続部は、前記埋没部より外方に張り出す幅と、被接続物の表面より突出した接続部の突出部が、外周縁に至るに従って薄くなり、その外周縁が被接続物の表面と密着する薄い厚さとを備えた鍔状に形成され、
鋲に接続される被接続物は、鋲の埋没部が挿入され固定された貫通孔が、その周辺において軸部ののびる方向に向けて撓む、及び／又は、その周辺に向けて拡開し、
被接続物の表面より鋲の接続部の突出部のみが突出した、鋲による固定構造。
【請求項３】
被接続物は、ファイルの表紙と綴じ具とから構成され、
鋲は、表紙側より軸部が貫通孔に挿入され、
表紙は、鋲の埋没部が挿入され固定された貫通孔が、その周辺において軸部ののびる方向に向けて撓む、及び／又は、その周辺に向けて拡開し、
被接続物の表面より鋲の接続部の突出部のみが突出した、請求項２に記載の鋲による固定構造。
【請求項４】
被接続物を構成するファイルの表紙及び綴じ具に固定されて、前記表紙の表面に露出された鋲の接続部は、表紙の表面にその外周縁が密着するとともに、表紙の表面より突出する高さが低くなるように薄く形成された、請求項１ないし３のいずれかに記載の鋲及び鋲による固定構造。
【請求項５】
前記埋没部は、軸部から接続部に至るに従ってその径が太くなり、軸部の近傍においては少しずつ径が太くなり、軸部と接続部との中間から接続部に至るに従って前記軸部の近傍に比して急に径が太くなるように形成された、請求項１ないし４のいずれかに記載の鋲及び鋲による固定構造。
【請求項６】
前記埋没部は、軸部から接続部に至るに従って、軸部の側縁を基準として同じ勾配又は異なる勾配に形成された、請求項１ないし５のいずれかに記載の鋲及び鋲による固定構造。
【請求項７】
前記埋没部は、円錐台状に形成された、請求項５又は６に記載の鋲及び鋲による固定構造。
【発明の詳細な説明】
【技術分野】
【０００１】
この発明は、鋲及び鋲による固定構造に関し、特にファイルの表紙などのような被接続物に、固定される鋲及び鋲による固定構造に関する。
【背景技術】
【０００２】
従来のファイルは、表紙に綴じ具を鋲で固定している。その鋲は、その用途により頭部の形状も異なる。
【０００３】
【特許文献１】特開２００５−５９４０３号公報
【発明の開示】
【発明が解決しようとする課題】
【０００４】
従来の鋲は、次のような問題がある。
（１）被接続物の表面に頭部が飛び出るため、他の物を傷つけることがある。特に、ファイルの背表紙に綴じ具を鋲で取り付けたファイルにおいて背表紙に形成された背見出しポケットは、ファイルの背見出しポケットに背見出しを挿入する際、背見出しが鋲の頭部に引っ掛かったりポケット部が盛り上がるため、鋲の部分に傷が付きやすくなる。
（２）鋲の頭部の薄い鋲を得ようとしても、鋲の材質により薄くするには限界があり、組立て加工のしやすいアルミニウム等比較的やわらかい素材では、前記（１）の問題を解決するために必要な薄さの鋲ができない。
（３）（１）を解決する効果を得ることができるように、被接続物に食い込むテーパー形状を鋲の頭部に形成すると、堅固に固定するという効果を得るために、被接続物の材料によってはテーパー部以上の厚みが必要となる。
【０００５】
それゆえに、この発明の主たる目的は、被接続物を強固に固定でき、被接続物の表面より突出する部分が少ない鋲及び鋲による固定構造を提供することである。
【課題を解決するための手段】
【０００６】
この発明にかかる鋲は、被接続物に穿設された貫通孔に挿入し固定される鋲であって、
貫通孔に挿入される軸部と、前記軸部の一方端に突設されて軸部の周囲に形成された埋没部と、前記軸部とは反対側の前記埋没部の上に突設されて、軸部の周囲に形成され、その下方面と被接続物とを接し合わせ、前記軸部の埋没部が形成された一方端とは反対側の他方端と協働して被接続物に固定されるように形成された接続部とを備え、前記軸部は、前記貫通孔の径と同等又はそれより短い太さと前記貫通孔よりも長い長さとを備え、前記埋没部は、被接続物に固定されたときに被接続物を変形させるとともに被接続物の内部に埋没するように、前記軸部の太さより長い幅と、被接続物の厚さよりも薄い厚さとを備え、軸部より接続部に至るに従ってその幅が、漸次長くなり、且つ前記接続部の幅よりも短い鍔状に形成され、前記接続部は、前記埋没部より外方に張り出す幅と、被接続物の表面より突出した接続部の突出部が、外周縁に至るに従って薄くなり、その外周縁が被接続物の表面と密着する薄い厚さとを備えた鍔状に形成された、鋲である。
この発明の請求項２にかかる鋲による固定構造は、被接続物に穿設された貫通孔に鋲を挿入して被接続物を固定する、鋲による固定構造であって、鋲は、貫通孔に挿入される軸部と、前記軸部の一方端に突設されて軸部の周囲に形成された埋没部と、前記軸部とは反対側の前記埋没部の上に突設されて、軸部の周囲に形成され、その下方面と被接続物とを接し合わせ、前記軸部の埋没部が形成された一方端とは反対側の他方端と協働して被接続物に固定されるように形成された接続部とを備え、前記軸部は、前記貫通孔の径と同等又はそれより短い太さと前記貫通孔よりも長い長さとを備え、前記埋没部は、被接続物に固定されたときに被接続物を変形させるとともに被接続物の内部に埋没するように、前記軸部の太さより長い幅と、被接続物の厚さよりも薄い厚さとを備え、軸部より接続部に至るに従ってその幅が、漸次長くなり、且つ前記接続部の幅よりも短い鍔状に形成され、前記接続部は、前記埋没部より外方に張り出す幅と、被接続物の表面より突出した接続部の突出部が、外周縁に至るに従って薄くなり、その外周縁が被接続物の表面と密着する薄い厚さとを備えた鍔状に形成され、鋲に接続される被接続物は、鋲の埋没部が挿入され固定された貫通孔が、その周辺において軸部ののびる方向に向けて撓む、及び／又は、その周辺に向けて拡開し、被接続物の表面より鋲の接続部の突出部のみが突出した、鋲による固定構造である。
この発明の請求項３にかかる鋲による固定構造は、被接続物は、ファイルの表紙と綴じ具とから構成され、鋲は、表紙側より軸部が貫通孔に挿入され、表紙は、鋲の埋没部が挿入され固定された貫通孔が、その周辺において軸部ののびる方向に向けて撓む、及び／又は、その周辺に向けて拡開し、被接続物の表面より鋲の接続部の突出部のみが突出した、請求項２に記載の鋲による固定構造である。
この発明の請求項４にかかる鋲及び鋲による固定構造は、被接続物を構成するファイルの表紙及び綴じ具に固定されて、前記表紙の表面に露出された鋲の接続部は、表紙の表面にその外周縁が密着するとともに、表紙の表面より突出する高さが低くなるように薄く形成された、請求項１ないし３のいずれかに記載の鋲及び鋲による固定構造である。
この発明の請求項５にかかる鋲及び鋲による固定構造は、前記埋没部は、軸部から接続部に至るに従ってその径が太くなり、軸部の近傍においては少しずつ径が太くなり、軸部と接続部との中間から接続部に至るに従って前記軸部の近傍に比して急に径が太くなるように形成された、請求項１ないし４のいずれかに記載の鋲及び鋲による固定構造である。
この発明の請求項６にかかる鋲及び鋲による固定構造は、前記埋没部は、軸部から接続部に至るに従って、軸部の側縁を基準として同じ勾配又は異なる勾配に形成された、請求項１ないし５のいずれかに記載の鋲及び鋲による固定構造である。
この発明の請求項７にかかる鋲及び鋲による固定構造は、前記埋没部は、円錐台状に形成された、請求項５又は６に記載の鋲及び鋲による固定構造である。
【発明の効果】
【０００７】
この発明にかかる鋲は、被接続物に穿設された貫通孔に挿入し固定される鋲であって、貫通孔に挿入される軸部と、前記軸部の一方端に突設されて軸部の周囲に形成された埋没部と、前記軸部とは反対側の前記埋没部の上に突設されて、軸部の周囲に形成され、その下方面と被接続物とを接し合わせ、前記軸部の埋没部が形成された一方端とは反対側の他方端と協働して被接続物に固定されるように形成された接続部とを備え、前記軸部は、前記貫通孔の径と同等又はそれより短い太さと前記貫通孔よりも長い長さとを備え、前記埋没部は、被接続物に固定されたときに被接続物を変形させるとともに被接続物の内部に埋没するように、前記軸部の太さより長い幅と、被接続物の厚さよりも薄い厚さとを備え、軸部より接続部に至るに従ってその幅が、漸次長くなり、且つ前記接続部の幅よりも短い鍔状に形成され、前記接続部は、前記埋没部より外方に張り出す幅と、被接続物の表面より突出した接続部の突出部が、外周縁に至るに従って薄くなり、その外周縁が被接続物の表面と密着する薄い厚さとを備えた鍔状に形成されているので、固定力を保ったまま被接続物の表面からなるべく接続部が出ることがないようにすることができる。
この発明にかかる鋲による固定構造は、被接続物に穿設された貫通孔に鋲を挿入して被接続物を固定する、鋲による固定構造であって、鋲は、貫通孔に挿入される軸部と、前記軸部の一方端に突設されて軸部の周囲に形成された埋没部と、前記軸部とは反対側の前記埋没部の上に突設されて、軸部の周囲に形成され、その下方面と被接続物とを接し合わせ、前記軸部の埋没部が形成された一方端とは反対側の他方端と協働して被接続物に固定されるように形成された接続部とを備え、前記軸部は、前記貫通孔の径と同等又はそれより短い太さと前記貫通孔よりも長い長さとを備え、前記埋没部は、被接続物に固定されたときに被接続物を変形させるとともに被接続物の内部に埋没するように、前記軸部の太さより長い幅と、被接続物の厚さよりも薄い厚さとを備え、軸部より接続部に至るに従ってその幅が、漸次長くなり、且つ前記接続部の幅よりも短い鍔状に形成され、前記接続部は、前記埋没部より外方に張り出す幅と、被接続物の表面より突出した接続部の突出部が、外周縁に至るに従って薄くなり、その外周縁が被接続物の表面と密着する薄い厚さとを備えた鍔状に形成され、鋲に接続される被接続物は、鋲の埋没部が挿入され固定された貫通孔が、その周辺において軸部ののびる方向に向けて撓む、及び／又は、その周辺に向けて拡開し、被接続物の表面より鋲の接続部の突出部のみが突出しているので、固定力を保ったまま被接続物の表面からなるべく鋲の接続部が出ないようにすることができる。
請求項３の発明にかかる鋲による固定構造によれば、被接続物は、ファイルの表紙と綴じ具とから構成され、鋲は、表紙側より軸部が貫通孔に挿入され、表紙は、鋲の埋没部が挿入され固定された貫通孔が、その周辺において軸部ののびる方向に向けて撓む、及び／又は、その周辺に向けて拡開し、被接続物の表面より鋲の接続部の突出部のみが突出しているので、接続部の突出部が表紙の表面から出ることが少なく、例えば表紙の表面で鋲の突出部の上に背見出し紙を固定するときにおいても障害となることがなく、背見出し紙を変形させたりすることを少なくすることができる。
請求項４の発明によれば、被接続物を構成するファイルの表紙及び綴じ具に固定されて、前記表紙の表面に露出された鋲の接続部は、表紙の表面にその外周縁が密着するとともに、表紙の表面より突出する高さが低くなるように薄く形成されているので、接続部の突出部が表紙の表面から出ることが少なく、例えば表紙の表面で鋲の突出部の上に背見出し紙を固定するときにおいても障害となることがなく、背見出し紙を変形させたりすることを少なくすることができる。
請求項５の発明によれば、前記埋没部は、軸部から接続部に至るに従ってその径が太くなり、軸部の近傍においては少しずつ径が太くなり、軸部と接続部との中間から接続部に至るに従って前記軸部の近傍に比して急に径が太くなるように形成されているので、軸部に近い埋没部が、被接続物の貫通孔に食い込み強固に固定されるとともに、接続部に近い埋没部が、被接続物の貫通孔の周囲を軸部側に撓ませ、被接続物の表面からなるべく鋲の接続部を出ないようにすることができる。
請求項６の発明によれば、前記埋没部は、軸部から接続部に至るに従って、軸部の側縁を基準として同じ勾配又は異なる勾配に形成されているので、比較的容易に被接続物の貫通孔に徐々に食い込ませるとともに、被接続物の貫通孔の周囲を撓ませ、被接続物の表面からなるべく鋲の接続部を出ないようにすることができる。
請求項７の発明によれば、前記埋没部は、円錐台状に形成されているので、比較的容易に被接続物の貫通孔に徐々に食い込ませるとともに、被接続物の貫通孔の周囲を撓ませ、被接続物の表面からなるべく鋲の接続部を出ないようにすることができる。
【０００８】
この発明の上述の目的、その他の目的、特徴及び利点は、図を参照しておこなう以下の発明を実施するための最良の形態の説明からいっそう明らかとなろう。
【発明を実施するための最良の形態】
【０００９】
図１は、この発明の一実施の形態である鋲を用いたファイルの斜視図解図である。図２は、図１図示鋲を用いたファイルの斜視図解図である。図３は、鋲の斜視図解図である。図４は、図３図示鋲を被接続物に取り付けた状態を示す断面図解図である。
鋲１０は、被接続物であるファイル１００の表紙１０２の貫通孔１０４及びファイル１００の表紙１０２に取り付けられる２〜３０穴リング綴じ具などの綴じ具１０６に穿設された貫通孔１０８に挿入し、固定される。
【００１０】
鋲１０は、貫通孔に挿入される軸部１２と、前記軸部１２の一方端に突出されて、軸部１２の周囲に鍔状に形成された埋没部１４と、前記軸部１２とは反対側の前記埋没部１４の上に突設されて、軸部１２の周囲に鍔状に形成された接続部１６とを備える。
【００１１】
鋲１０は、軸部１２と埋没部１４と接続部１６とを、一体的に、アルミニウムなどで形成されている。
【００１２】
軸部１２は、被接続物たるファイル１００の表紙１０２の貫通孔１０４及び綴じ具１０６に形成された貫通孔１０８の径と同等又はそれより短い太さ（Ｗ３）と、前記貫通孔１０４及び貫通孔１０８よりも長い長さ（Ｔ３）でそれに挿入される長さを備える円柱状であり、その他方端には、被接続物に取り付けられるときに、圧壊されるための、中空部１８が形成されている（図８参照）。
【００１３】
前記埋没部１４は、被接続物たる表紙１０２及び綴じ具１０６に固定されるときに被接続物たる表紙１０２をその厚み方向に変形させるとともに、被接続物たるファイル１００の表紙１０２の内部に埋没するように、前記軸部１２の太さ（Ｗ３）より長い幅（Ｗ２）と、被接続物の厚さよりも薄い厚さ（Ｔ２）とを備え、軸部１２より接続部１６に至るに従ってその幅が、漸次長くなり、且つ前記接続部１６の幅（Ｗ１）よりも短い鍔状で全体的に円錐状に形成されている。この実施の形態においては、軸部１２から接続部１６に至るに従って、軸部１２の側縁（Ｂ１）を基準として同じ勾配である円錐台状に形成されている（図８参照）。
【００１４】
前記接続部１６は、前記埋没部１４より外方に張り出す幅（Ｗ１）と、被接続物の表面より突出した接続部１６の突出部が、外周縁に至るに従って薄くなり、その外周縁が被接続物の表面と密着する薄い厚さ（Ｔ１）とを備えた鍔状に形成され、その下面と被接続物たるファイル１００の表紙１０２とを接し合わせ、前記軸部１２の接続部１６が形成された一方端とは反対側の下方端と協働して、被接続物たるファイル１００の表紙１０２に固定されるように形成されている（図８参照）。
この実施の形態においては、被接続物たるファイル１００の表紙１０２の表面より突出した突出部２０は、半球状で又はその上面が平旦な皿状で、外周縁に至るに従って薄くなるように形成され、且つ接続部１６が表紙１０２の表面に接し合う下面は、平面で、少なくともその外周においては被接続物の表面と密着するように形成されている。
【００１５】
鋲の１０の接続部１６は、被接続物を構成するファイル１００の表紙１０２及び綴じ具１０６に固定されたとき、前記ファイル１００の表紙１０２の表面に露出されるが、表紙１０２の表面にその外周縁が密着するとともに、表紙１０２の表面より突出する高さが低くなるように、外周縁に至るに従って薄くなるように形成されている。
したがって、被接続物の表面に頭部が飛び出ることが少なくなるため、他の物を傷つけることが少なくなる。
【００１６】
この鋲１０は、図５に示すように、ファイル１００の表紙１０２の貫通孔１０４及び綴じ具１０６の貫通孔１０８に、軸部１２を押し込んで貫挿し、綴じ具１０６の裏面において軸部１２の先端の中空部１８近傍を圧壊してかしめて、ファイル１００の表紙１０２に綴じ具１０６を固定する。而して、鋲１０は、埋没部１４の下部が表紙１０２の貫通孔１０４の周辺を押圧し撓ませ貫通孔１０４の周囲を変形させるとともに表紙１０２の内部に食い込み貫通孔１０４の半径方向に押し拡げて、接続部１６の下面が表紙１０２の貫通孔１０４の周辺の表面に密着する。そして、ファイル１００の表紙１０２は、少なくとも接続部１６の最も外側の周縁と表紙１０２と接する、円周域では、撓むことなく、接続部１６の外周縁と表紙１０２の表面との間には間隙が生じることがない。
したがって、図６及び図７に示すように、表紙１０２の表面に添設された背見出し保護シート１１０の内面と表紙１０２の表面との間に背見出し紙１２０を挿入したとき、背見出し紙１２０は、円滑に接続部１６の突出部２０の表面を滑り、所定位置に固定することができる。
【００１７】
この発明にかかる鋲１０は、落下等によって、鋲による固定がはずれない最低限の固定部の大きさと厚みを有して被接続物の表面に飛び出る接続部１６と、被接続物内に埋没する埋没部１４部分により固定する際の圧力により被接続物の貫通孔の周囲を変形させて固定させることができる。
そして、鋲１０に接続される被接続物たるファイル１００の表紙１０２は、鋲１０の埋没部１４が挿入され固定された貫通孔１０４が、その周辺において軸部１２ののびる方向に向けて撓む、及び／又は、その周辺に向けて拡開し、被接続物の表面より鋲１０の接続部１６の突出部２０のみが突出した、鋲１０による固定構造となる。
【００１８】
埋没する埋没部１４の体積より変形する被接続物の体積が大きいと、被接続物の貫通孔１０４の周辺がひずんでしまうために、固定した際にひずまないバランスを埋没する埋没部１４の体積と、撓む又は拡開する被接続物の体積との間においてとる必要がある。そのために、埋没部１４の体積、接続部１６の頭部の大きさが重要となるが、被接続物の貫通孔１０４より大きくして固定が外れないようにするために接続部１６の体積が重要となる。
【００１９】
本発明は、前記実施の形態に限らず、この発明の思想に基づき、種々変更することができる。
図９は、この発明の別の実施の形態である鋲の斜視図解図である。図１０は、図９図示鋲を被接続物に取り付ける状態を示す断面図解図であり、図１１は、図９図示鋲を被接続物に取り付けた状態を示す断面図解図である。
鋲２１０は、被接続物であるファイル１００の表紙１０２の貫通孔１０４及びファイル１００に取り付けられる綴じ具１０６に穿設された貫通孔１０８に挿入し、固定される。
【００２０】
鋲２１０は、貫通孔１０４及び１０８に挿入される軸部２１２と、前記軸部２１２の一方端に突出されて、軸部２１２の周囲に鍔状に形成された埋没部２１４と、前記軸部２１２とは反対側の前記埋没部２１４の上に突設されて、軸部２１２の周囲に鍔状に形成された接続部２１６とを備える。
【００２１】
鋲２１０は、軸部２１２と埋没部２１４と接続部２１６とを、一体的に、アルミニウムなどで形成されている。
【００２２】
この実施の形態の鋲２１０は、埋没部２１４の形状において、図１図示の形態の鋲１０と異なる。
この埋没部２１４は、軸部２１２から接続部２１６に至るに従ってその径が太くなり、軸部２１２の近傍においては、少しずつ径が太くなり、軸部２１２と接続部２１６との中間から接続部２１６に至るに従って前記軸部２１２の近傍に比して急に径が太くなるように形成されている。
軸部２１２から接続部２１６に至るに従って、軸部２１２の側縁を基準として異なる勾配に形成されている。
【００２３】
この鋲２１０は、埋没部２１４の軸部２１２から接続部２１６に至るに従ってその径が太くなっているが、ファイル１００の表紙１０２の貫通孔１０４に軸部２１２を挿入すれば、軸部２１２の近傍においては、貫通孔１０４の径に近く少しずつ径が太くなるので、貫通孔１０４内に嵌挿される。
そして、鋲２１０は、ファイル１００の表紙１０２の貫通孔１０４及び綴じ具１０６の貫通孔１０８に、軸部２１２を押し込んで貫挿し、綴じ具１０６の裏面において軸部２１２の先端の中空部２１８近傍を圧壊してかしめて、ファイル１００の表紙１０２に綴じ具１０６を固定する。而して、鋲２１０は、軸部２１２と接続部２１６との中間から接続部２１６に至るに従って、前記軸部２１２の近傍に比して急に径が太くなるように形成されているので、埋没部２１４は、表紙１０２の貫通孔１０４の周辺を下面すなわち軸部２１２の先端側に向けて押し下げ撓ませて貫通孔１０４の周囲を変形させるとともに内方に向けて食い込み表紙１０２の貫通孔１０４の半径方向に押し拡げて、接続部２１６の下面が表紙１０２の貫通孔１０４の周辺の表面に密着する。そして、ファイル１００の表紙１０２は、少なくとも接続部２１６の最も外側の周縁と表紙１０２と接する、円周域では、撓むことなく、接続部２１６の外周縁と表紙１０２の表面との間には間隙が生じることがない。
そして、鋲２１０に接続される被接続物たるファイル１００の表紙１０２は、鋲２１０の埋没部２１４が挿入され固定された貫通孔１０４が、その周辺において軸部２１２ののびる方向に向けて撓む、及び／又は、その周辺に向けて拡開し、被接続物の表面より鋲２１０の接続部２１６の突出部２０のみが突出した、鋲２１０による固定構造となる。
【００２４】
埋没部２１４の曲率は、図１３及び１４に示すように、軸部２１２と接する領域と、接続部２１６と接する領域とが同じとしてもよい。
特に、図１３図示鋲３１０の埋没部３１４は、軸部３１２と滑らかな面で接し合う円弧状（真円状）で接続部３１６の下面に至るのに対し、図１４及び図１５図示鋲４１０の埋没部４１４は、軸部４１２と円弧状括れ部４１４ａを介して接し合う円弧状（真円状）で接続部４１６の下面に至る。
【００２５】
また、埋没部２１４は、図１６図示鋲５１０のように、軸部５１２に連設された埋没部５１４が楕円の円弧状であって、接続部５１６の下面に至るように形成されてもよい。
【００２６】
また、接続部１６は、前記実施の形態においては、半球状に形成したが、図１７及び１８に示す鋲６１０のように、変更してもよい。すなわち、鋲６１０は、貫通孔に挿入される軸部６１２と、前記軸部６１２の一方端に突出されて、軸部６１２の周囲にその鍔状に形成された埋没部６１４と、前記軸部６１２とは反対側の前記埋没部６１４の面に突設されて、軸部６１２の周囲に鍔状に形成された接続部６１６とを備える。
そして、接続部６１６は、軸部６１２より離れるに従ってその径が小さくなる円錐台状に形成されている。
鋲の６１０の接続部６１６は、図１９及び２０において示すように、被接続物を構成するファイル１００の表紙１０２及び綴じ具１０６に固定されたとき、前記ファイル１００の表紙１０２の表面に露出されるが、表紙１０２の表面にその外周縁が密着するとともに、表紙１０２の表面より突出する高さが低くなるように、外周縁に至るに従って薄くなるように形成されている。
【産業上の利用可能性】
【００２７】
この発明にかかる錠は、２〜３０穴のリング綴じ具等の綴じ具を表紙に取り付けるファイル・バインダ類の固定具として利用するほか、固定具として広範囲に利用することができる。
【図面の簡単な説明】
【００２８】
【図１】この発明の一実施の形態である鋲を用いたファイルの斜視図解図である。
【図２】図１図示鋲を用いたファイルの斜視図である。
【図３】図１図示鋲の斜視図解図である。
【図４】図３図示鋲を被接続物に取り付ける状態を示す図解図であり、（Ａ）は一部を断面とした斜視図解図であり、（Ｂ）は断面図解図である。
【図５】図３図示鋲を被接続物に取り付けた状態を示す図解図であり、（Ａ）は一部を断面とした斜視図解図であり、（Ｂ）は断面図解図であり、（Ｃ）は表紙の変形を示す一部を断面とした斜視図解図である。
【図６】ファイルの利用状態を示す断面図解図である。
【図７】ファイルの利用状態を示す断面図解図である。
【図８】図１図示鋲の各部の構成を表す断面図解図である。
【図９】この発明の別の実施の形態である鋲の一部を断面とした斜視図解図である。
【図１０】図８図示鋲の断面図解図である。
【図１１】図８図示鋲を被接続物に取り付ける状態を示す断面図解図である。
【図１２】図８図示鋲を被接続物に取り付けた状態を示す断面図解図である。
【図１３】図８図示鋲の変形例たる鋲の断面図解図である。
【図１４】図８図示鋲の変形例たる鋲の断面図解図である。
【図１５】図１４図示鋲の要部の断面図解図である。
【図１６】図８図示鋲の変形例たる鋲の断面図解図である。
【図１７】この発明の別の実施の形態である鋲の一部を断面とした斜視図解図である。
【図１８】図１７図示鋲の断面図解図である。
【図１９】図１７図示鋲を被接続物に取り付ける状態を示す断面図解図である。
【図２０】図１７図示鋲を被接続物に取り付けた状態を示す断面図解図である。
【符号の説明】
【００２９】
１０，２１０，３１０，４１０，５１０，６１０  鋲
１２，２１２，３１２，４１２，５１２，６１２  軸部
１４，２１４，３１４，４１４，５１４，６１４  埋没部
１６，２１６，３１６，４１６，５１６，６１６  接続部
１８，２１８  中空部
２０  突出部
４１４ａ  括れ部
１００  ファイル
１０２  表紙
１０４，１０８  貫通孔
１０６  綴じ具
１１０  背見出し保護シート
１２０  背見出し紙
【図１】
2009047287.tif 000003
【図２】
2009047287.tif 000004
【図３】
2009047287.tif 000005
【図４】
2009047287.tif 000006
【図５】
2009047287.tif 000007
【図６】
2009047287.tif 000008
【図７】
2009047287.tif 000009
【図８】
2009047287.tif 000010
【図９】
2009047287.tif 000011
【図１０】
2009047287.tif 000012
【図１１】
2009047287.tif 000013
【図１２】
2009047287.tif 000014
【図１３】
2009047287.tif 000015
【図１４】
2009047287.tif 000016
【図１５】
2009047287.tif 000017
【図１６】
2009047287.tif 000018
【図１７】
2009047287.tif 000019
【図１８】
2009047287.tif 000020
【図１９】
2009047287.tif 000021
【図２０】
2009047287.tif 000022